(57)【要約】【課題】有機ＥＬの電極において長い距離の短絡によって、画素が不正常に発光する状況が発生するのを防ぐことができる有機ＥＬ装置を提供する。【解決手段】長い距離の短絡を防止できる有機ＥＬ装置２０であって、有機発光層２５および対向電極２７の両側に絶縁分離層ユニットが設けられ、絶縁分離層ユニットの第１の絶縁分離層２９５と第２の絶縁分離層２９７との間には隔離溝２６を増設でき、隔離溝２６の設置によって第１の絶縁分離層２９５上方の第１の導電層２８５と第２の絶縁分離層２９７上方の第２の導電層２８７とが電気的に接続されるのを有効的に防止でき、有機ＥＬ装置２０が長い距離の短絡によって画素が不正常に発光するのを防ぐことができる。【選択図】図３
2006310316.tif 000002
【特許請求の範囲】
【請求項１】
基板、少なくとも一つの下部電極、複数の絶縁分離層ユニット、少なくとも一つの有機発光層および少なくとも一つの対向電極とを備え、
前記少なくとも一つの下部電極は、前記基板上に設置され、
前記複数の絶縁分離層ユニットは、前記下部電極上に設置され、前記下部電極と交差し、各絶縁分離層ユニットは、第１の絶縁分離層および第２の絶縁分離層を備え、該第１の絶縁分離層の一側辺と該第２の絶縁分離層の対応する同一側辺との間には隔離溝が設けられ、第１の絶縁分離層と第２の絶縁分離層とが電気的に接続されるのを防止し、
前記少なくとも一つの有機発光層は、前記第１の絶縁分離層と第２の絶縁分離層との間に設置され、前記下部電極と接触し、
前記少なくとも一つの対向電極は、前記有機発光層上に設置される
ことを特徴とする長い距離の短絡を防止できる有機ＥＬ装置。
【請求項２】
前記絶縁分離層ユニットは、絶縁層および分離層を備えることを特徴とする請求項１記載の長い距離の短絡を防止できる有機ＥＬ装置。
【請求項３】
前記隔離溝内には、隔離壁が設置されることを特徴とする請求項１記載の長い距離の短絡を防止できる有機ＥＬ装置。
【請求項４】
前記絶縁分離層ユニット内には、接続部が設けられ、前記接続部は前記第１の絶縁分離層または第２の絶縁分離層のいずれかの側辺と接続されることを特徴とする請求項１記載の長い距離の短絡を防止できる有機ＥＬ装置。
【請求項５】
前記第１の絶縁分離層および前記第２の絶縁分離層上には、導電層が形成され、前記導電層は前記対向電極を備えることを特徴とする請求項１記載の長い距離の短絡を防止できる有機ＥＬ装置。
【発明の詳細な説明】
【技術分野】
【０００１】
本発明は、有機ＥＬ装置に関し、特に有機ＥＬ装置において比較的長い距離の短絡が発生するのを防ぐことができる有機ＥＬ装置に関する。
【背景技術】
【０００２】
有機ＥＬ装置はその他の発光構造と比較して、自発光、高輝度、広視野角、低電圧、高応答速度、パネルが軽薄および部材が簡単などの長所を有し、それによって各国の研究部門およびメーカーの注目を集めている。
【０００３】
図１は、従来技術による有機ＥＬ（ＯＬＥＤ）装置を示す上面図である。図２は、図１の線ａ‐ａ’の断面図である。主に基板１１の上表面に少なくとも一つの下部電極１３が設置され、一部の下部電極１３および基板１１上表面には絶縁分離層１９が設けられる。絶縁分離層１９は複数の絶縁分離層ユニットを備え、それぞれの完全な絶縁分離層ユニットは第１の絶縁分離層１９５および第２の絶縁分離層１９７を備え、第１の絶縁分離層１９５は接続部１９２によって前記第２の絶縁分離層１９７と接続される。絶縁分離層１９の設置は有機ＥＬ装置１０の後続の製造工程の進行に都合がよく、例えば、第１の絶縁分離層１９５と第２の絶縁分離層１９７とは正確に対置され、有機発光層１５および対向電極１７が形成される。
しかし、有機発光層１５および対向電極１７が形成されるとき、第１の絶縁分離層１９５、接続部１９２および第２の絶縁分離層１９７の表面には有機発光層１５および対向電極１７と同一の材料である導電層１８がそれぞれ同時に形成され、例えば、第１の絶縁分離層１９５上方には第１の導電層１８５が、第２の絶縁分離層１９７上方には第２の導電層１８７が、接続部１９２上方には接続部導電層１８２がそれぞれ形成される。
【０００４】
基本的に、絶縁分離層１９が正常な状態の場合、第１の導電層１８５、第２の導電層１８７および接続部導電層１８２には作業電流は存在しないが、絶縁分離層１９内に、例えば、図１に示すような第１の絶縁分離層１９５’または第２の絶縁分離層１９７’といった二つ以上の構造が弱い（weak）部分が存在するとき、第１の絶縁分離層１９５’の一部側辺に第１の導通部１２１が形成されたり、第２の絶縁分離層１９７’の一部側辺に第２の導通部１２３が形成されたりし、本来、対向電極１７上を伝わる作業電流が第１の導通部１２１または第２の導通部１２３を経由して絶縁分離層１９上方の導電層１８に伝わり、第１の導電層１８５、接続部導電層１８２および第２の導電層１８７によって作業電流がもう一つの隣接する第１の絶縁分離層１９５’または第２の絶縁分離層１９７’の対向電極１７に使用され、絶縁分離層１９上方に導電層１８が形成されることがあり、それによって有機ＥＬ装置１０に長い距離の短絡（Long distance short）が発生してその他の画素が不正常に発光し、有機ＥＬ装置１０の不良品発生率が高くなることを見出した。
【０００５】
上述の従来技術の欠点に鑑み、本発明の発明者は、絶縁分離層の一部構造が弱いことによって長い距離の短絡が発生し、画素が不正常に発光するのを防ぐことができる有機ＥＬ装置を案出した。
【特許文献１】特開２００４−１５２６４２号公報
【発明の開示】
【発明が解決しようとする課題】
【０００６】
本発明の主な目的は、絶縁分離層を設置するときに、絶縁分離層自体の接続部上に隔離溝を増設し、隔離溝を設置するだけで第１の絶縁分離層と第２の絶縁分離層とが電気的に接続されるのを防止することができ、それによって、有機ＥＬの電極における長い距離の短絡することによって、画素が不正常に発光する状況を防ぐことができる有機ＥＬ装置を提供することにある。
【０００７】
本発明の第２の目的は、簡易な隔離溝の設置によって、絶縁分離層上方の導電層の導電を遮断し、電極における長い距離での短絡の発生を防止でき、それによって製品の不良品発生率を低下させることができる有機ＥＬ装置を提供することにある。
【課題を解決するための手段】
【０００８】
上述の目的を達成するために、本発明は長い距離の短絡を防止できる有機ＥＬ装置であって、主に、基板、少なくとも一つの下部電極、複数の絶縁分離層ユニット、少なくとも一つの有機発光層および少なくとも一つの対向電極を備える。少なくとも一つの下部電極は、基板上に設置される。複数の絶縁分離層ユニットは、下部電極および基板上に設置され、下部電極と交差し、各絶縁分離層ユニットは、第１の絶縁分離層および第２の絶縁分離層を備え、第１の絶縁分離層の一側辺と第２の絶縁分離層の対応する同一側辺との間には隔離溝が設けられ、第１の絶縁分離層と第２の絶縁分離層とが電気的に接続されるのを防止する。少なくとも一つの有機発光層は、第１の絶縁分離層と第２の絶縁分離層との間に設置され、下部電極とお互いに接触する。少なくとも一つの対向電極は、有機発光層上に設置される。
【０００９】
すなわち、請求項１の発明は、基板、少なくとも一つの下部電極、複数の絶縁分離層ユニット、少なくとも一つの有機発光層および少なくとも一つの対向電極とを備え、前記少なくとも一つの下部電極は、前記基板上に設置され、前記複数の絶縁分離層ユニットは、前記下部電極上に設置され、前記下部電極と交差し、各絶縁分離層ユニットは、第１の絶縁分離層および第２の絶縁分離層を備え、該第１の絶縁分離層の一側辺と該第２の絶縁分離層の対応する同一側辺との間には隔離溝が設けられ、第１の絶縁分離層と第２の絶縁分離層とが電気的に接続されるのを防止し、前記少なくとも一つの有機発光層は、前記第１の絶縁分離層と第２の絶縁分離層との間に設置され、前記下部電極と接触し、前記少なくとも一つの対向電極は、前記有機発光層上に設置されることを特徴とする長い距離の短絡を防止できる有機ＥＬ装置である。
【００１０】
請求項２の発明は、前記絶縁分離層ユニットは、絶縁層および分離層を備えることを特徴とする請求項１記載の長い距離の短絡を防止できる有機ＥＬ装置である。
請求項３の発明は、前記隔離溝内には、隔離壁が設置されることを特徴とする請求項１記載の長い距離の短絡を防止できる有機ＥＬ装置である。
請求項４の発明は、前記絶縁分離層ユニット内には、接続部が設けられ、前記接続部は前記第１の絶縁分離層または第２の絶縁分離層のいずれかの側辺と接続されることを特徴とする請求項１記載の長い距離の短絡を防止できる有機ＥＬ装置である。
請求項５の発明は、前記第１の絶縁分離層および前記第２の絶縁分離層上には、導電層が形成され、前記導電層は前記対向電極を備えることを特徴とする請求項１記載の長い距離の短絡を防止できる有機ＥＬ装置である。
【発明の効果】
【００１１】
本発明によれば、絶縁分離層の一部区域に、（図４に示すような）第１の絶縁分離層または第２の絶縁分離層といった構造の弱い（weak）部分があるとき、第１の絶縁分離層の一部区域に第１の導通部が形成されたり、第２の絶縁分離層の一部区域に第２の導通部が形成されたりし、本来、対向電極上を流れる作業電流は第１の導通部または第２の導通部を経由して絶縁分離層上方の導電層に流れるが、絶縁分離層を分断する隔離溝の設置によって、作業電流が第１の導電層、接続部導電層および第２の導電層を経由して隣接するもう一つの第１の絶縁分離層または第２の絶縁分離層の対向電極に使用されるのを防止でき、これによって有効的に有機ＥＬ装置に長い距離の短絡（Long distance short）およびその他の画素が不正常に発光するのを防止でき、有機ＥＬ装置の不良品発生率を低下させることができる。
【発明を実施するための最良の形態】
【００１２】
本発明の特徴は、絶縁分離層上方の一部区域に導通部（導電層）を形成することがあり、それによって、長い距離の対向電極上を流れる作業電流を短絡させ、有機ＥＬ装置の画素が不正常に発光し、有機ＥＬ装置の不良品発生率が高くなることを見出したことを基本とするもので、これを防ぐために、絶縁分離層を隔離溝を設けて分割し、導電層が形成されても隔離溝が導通部を分断して導電を阻止し、その結果、電極と絶縁分離層と短絡しても、絶縁分離層も他の区域に導電しないので、長い距離の短絡(図３参照)を防止し、正常に作業電流が対向電極上を流れるようにしたものである。
【００１３】
以下、本発明の好適な長い距離の短絡を防止できる有機ＥＬ装置の実施例を図面に沿って説明する。
図３は、本発明の一実施例による有機ＥＬ装置を示す上面図である。図４は図３の線ｂ‐ｂ’の断面図である。図５は図３の線ｃ‐ｃ’の断面図である。図に示すように、本発明の長い距離の短絡を防止できる有機ＥＬ（ＯＬＥＤ）装置２０は、主に、基板２１上表面の一部区域に少なくとも一つの下部電極２３が設置され、下部電極２３と基板２１の一部上表面には少なくとも一つの下部電極２３と交差する絶縁分離層２９が設けられ、絶縁分離層２９は複数の絶縁分離層ユニットから構成され、各絶縁分離層ユニットは、第１の絶縁分離層２９５、第２の絶縁分離層２９７および隔離溝２６を備える。隔離溝２６は第１の絶縁分離層２９５の一側辺と第２の絶縁分離層２９７の対応する同一側辺との間に設置され、隔離溝２６の設置により第１の絶縁分離層２９５と第２の絶縁分離層２９７との間は隔離される。また、第１の絶縁分離層２９５と第２の絶縁分離層２９７との間には少なくとも一つの有機発光層２５が設けられ、有機発光層２５の上表面には対向電極２７が設けられる。
【００１４】
また、絶縁分離層ユニットの第１の絶縁分離層２９５と第２の絶縁分離層２９７との間には接続部２９２（絶縁分離層ユニットの一部）を増設でき、接続部２９２は第１の絶縁分離層２９５の側辺位置に設置され、第２の絶縁分離層２９７の対応する同一側辺に接続される。
また、絶縁分離層２９は絶縁層（Insulator）２９３および分離層（Separator）２９１から構成され、絶縁分離層２９の使用は有機発光層２５および対向電極２７の設置工程の進行に都合がよく、有機ＥＬ装置２０の画素が定義される。しかし、有機発光層２５および対向電極２７の設置工程を進行するとき、第１の絶縁分離層２９５、接続部２９２および第２の絶縁分離層２９７の上表面に有機発光層２５および対向電極２７と同一材料からなる導電層２８が同時にそれぞれ形成され、例えば、第１の絶縁分離層２９５上方には第１の導電層２８５が、第２の絶縁分離層２９７上方には第２の導電層２８７が、接続部２９２上方には接続部導電層２８２が形成される。導電層２８（第１の導電層２８５、第２の導電層２８７および接続部導電層２８２）は対向電極２７または有機発光層２５および対向電極２７の層を選択的に備えることができる。
【００１５】
絶縁分離層２９の一部区域に、例えば図４に示すような第１の絶縁分離層２９５’または第２の絶縁分離層２９７’といった構造の弱い（weak）部分があるとき、第１の絶縁分離層２９５’の一部区域に第１の導通部２２１が形成されたり、第２の絶縁分離層２９７’の一部区域に第２の導通部２２３が形成されたりし、本来、対向電極２７上を流れる作業電流は第１の導通部２２１または第２の導通部２２３を経由して絶縁分離層２９上方の導電層２８に流れるのだが、絶縁分離層２９の一部に隔離溝２６の設置によって、作業電流が第１の導電層２８５、接続部導電層２８２および第２の導電層２８７を経由して隣接するもう一つの第１の絶縁分離層２９５’または第２の絶縁分離層２９７’の対向電極２７に使用されるのを防止でき、結果、これによって有効的に有機ＥＬ装置２０に比較的に長い距離の短絡（Long distance short）およびその他の画素が不正常に発光するのを防止でき、有機ＥＬ装置２０の不良品発生率を低下させることができる。
【００１６】
また、図３の線ｃ‐ｃ’の断面図である絶縁分離層２９(２９２，２９５、２９７)での隔離溝２６を図５で説明すると、隔離溝２６の設置位置の第１の絶縁分離層２９５、第２の絶縁分離層２９７および接続部２９２も同様に分離層２９１および絶縁層２９３から構成され、有機発光層２５および対向電極２７を設置するとき、第１の絶縁分離層２９５および第２の絶縁分離層２９７によって分割され、隔離溝２６を有効的に第１の絶縁分離層２９５、第２の絶縁分離層２９７および接続部２９２上方に設けられた導電層２８(２８２，２８５，２８７)から隔離できる。また、隔離溝２６の幅Ｈは製品の違いに応じて調整でき、例えば隔離溝２６の幅Ｈを従来技術による構造の接続部（１９２）と同一にすることができ、言い換えると、本来接続部（１９２）が設置されていた位置を隔離溝２６に取って換えることができる。
【００１７】
図６は図３の線ｃ‐ｃ’におけるもう一つの実施例を示す断面図である。図に示すように、本発明の長い距離の短絡を防止できる有機ＥＬ（ＯＬＥＤ）装置２０は、主に、各絶縁分離層ユニット２９内の隔離溝２６内に隔離壁２６１が増設され、隔離壁２６１は高インピーダンスの材質によって製造され、それによって、両隣の絶縁分離層２９間の誘電率を高めることができ、各絶縁分離層２９間の導通率を低下させることができる。
【００１８】
以上のように、上記各実施例では、有機発光層２５および対向電極２７の両側に絶縁分離層ユニットが設けられ、絶縁分離層ユニットの第１の絶縁分離層２９５と第２の絶縁分離層２９７との間には隔離溝２６を設け、この隔離溝２６の設置によって第１の絶縁分離層２９５上方の第１の導電層２８５と第２の絶縁分離層２９７上方の第２の導電層２８７とが電気的に接続されるのを有効的に防止でき、有機ＥＬ装置２０が長い距離の短絡によって画素が不正常に発光するのを防ぐことができる。
すなわち、図４に示すように、絶縁分離層２９の一部区域に、第１の絶縁分離層２９５，２９５’または、第２の絶縁分離層２９７、２９７’といった構造の弱い（weak）部分があるとき、第１の絶縁分離層２９５の一部区域に第１の導通部(導電層)２２１が形成されたり、第２の絶縁分離層２２３の一部区域に第２の導通部（導電層）２２３が形成されたりして、本来、対向電極２７上を流れる作業電流が、第１の導通部または第２の導通部を経由して絶縁分離層上方の導電層に流れてしまうが、各実施例（発明）のように絶縁分離層２９を分断する隔離溝２６を複数の箇所に設けることによって、絶縁分離層２９を細かく分割して導電層が形成されても、作業電流が第１の導電層２８５、接続部導電層２８２および第２の導電層２８７を経由して隣接するもう一つの第１の絶縁分離層２９５または第２の絶縁分離層２９７の対向電極２７に使用されるのを防止するように構成している。
この結果、有機ＥＬパネルにおける長い距離の短絡（Long distance short）およびその他の画素が不正常に発光するのを防止でき、有機ＥＬ装置の不良品発生率を低下させることができる。
上述の詳細な説明は、本発明の一実施例を示すものであり、本発明の特徴を損なうものでなければ上記の各実施例に限定するものではなく、本発明の特許請求の範囲に記載された形状、構造、特徴および趣旨などの変更および修飾はすべて本発明の均等の範囲に含まれる。
【図面の簡単な説明】
【００１９】
【図１】従来技術による有機ＥＬ装置を示す上面図である。
【図２】図１の線ａ‐ａ’の断面図である。
【図３】本発明の一実施例による有機ＥＬ装置を示す上面図である。
【図４】図３の線ｂ‐ｂ’の断面図である。
【図５】図３の線ｃ‐ｃ’の断面図である。
【図６】図３の線ｃ‐ｃ’におけるもう一つの実施例を示す断面図である。
【符号の説明】
【００２０】
２１    基板
２２１  第１の導通部
２２３  第２の導通部
２３    下部電極
２５    有機発光層
２６    隔離溝
２６１  隔離壁
２７    対向電極
２８    導電層
２８２  接続部導電層
２８５  第１の導電層
２８７  第２の導電層
２９    絶縁分離層
２９１  分離層（絶縁分離層ユニット）
２９２  接続部（絶縁分離層ユニット）
２９３  絶縁層（絶縁分離層ユニット）
２９５、２９５’  第１の絶縁分離層（絶縁分離層ユニット）
２９７、２９７’  第２の絶縁分離層（絶縁分離層ユニット）
【図１】
2006310316.tif 000003
【図２】
2006310316.tif 000004
【図３】
2006310316.tif 000005
【図４】
2006310316.tif 000006
【図５】
2006310316.tif 000007
【図６】
2006310316.tif 000008